(57)【要約】【課題】印刷処理の生産性を高めることができる画像形成装置を提供する。【解決手段】印刷後にページ単位で画像検査を行う画像検査手段５を備えた画像形成装置において、印刷失敗したページをリジェクトせずリカバリに必要な情報のみ記憶媒体に格納し継続して印刷を行い、印刷終了後エラーレポートを出力する制御を行う制御手段２を備えた。【選択図】        図１
2004338308.tif 000002
【特許請求の範囲】
【請求項１】
印刷後にページ単位で画像検査を行う画像検査手段を備えた画像形成装置において、印刷失敗したページをリジェクトせずリカバリに必要な情報のみ記憶媒体に格納するリカバリ情報格納手段と、印刷終了後エラーレポートを出力するエラーレポート印刷手段とを備え、印刷失敗したページをリジェクトせずリカバリに必要な情報のみ前記リカバリ情報格納手段に格納して継続して印刷を行い、印刷終了後前記エラーレポート印刷手段によりエラーレポートを出力することを特徴とする画像形成装置。
【請求項２】
印刷後にページ単位で画像検査を行う画像検査機能を有する画像形成装置において、印刷失敗したページをリジェクトせずリカバリに必要な情報のみ記憶媒体に格納するリカバリ情報格納手段と、印刷終了後その旨を表示する操作パネルとを備え、印刷失敗したページをリジェクトせずリカバリに必要な情報のみ前記リカバリ情報格納手段に格納して継続して印刷を行い、印刷終了後その旨を前記操作パネルに表示することを特徴とする画像形成装置。
【請求項３】
印刷後にページ単位で画像検査を行う画像検査機能を有する画像形成装置において、印刷失敗したページをリジェクトせずリカバリに必要な情報のみ記憶媒体に格納するリカバリ情報格納手段と、印刷終了後その旨をパソコンに通知する通信手段とを備え、印刷失敗したページをリジェクトせずリカバリに必要な情報のみ前記リカバリ情報格納手段に格納して継続して印刷を行い、印刷終了後その旨を前記パソコンに通知することを特徴とする画像形成装置。
【請求項４】
請求項１記載の画像形成装置において、印刷失敗ページは印刷終了後に前記操作パネルからの操作により印刷が可能であることを特徴とする画像形成装置。
【請求項５】
請求項１記載の画像形成装置において、シフト機能を有し、印刷失敗ページをシフト排紙することを特徴とする画像形成装置。
【請求項６】
請求項１記載の画像形成装置において、パンチ、ステープル、製本を含む後処理指示がある印刷の場合、印刷失敗ページを含むものは部単位で失敗と判定し、後処理を禁止することを特徴とする画像形成装置。
【発明の詳細な説明】
【０００１】
【発明の属する技術分野】
本発明は、印刷後にページ単位で画像検査を行う画像検査機能を有する、プリンタ、デジタル複写機等の画像形成装置に関するものである。
【０００２】
【従来の技術】
印刷後にページ単位で画像検査を行う画像検査機能を有する、プリンタ、デジタル複写機等の画像形成装置に関連して、例えば、特許文献１には、エラーを検出した場合は印字終了後に表示部に表示した後、再印字する技術が示されている。また、特許文献２には、全印刷の終了を確認したことに応答して、印刷レポートを作成する技術が示されている。さらに、特許文献３には、プリンタのエラー情報をパソコンに送出し、プリンタエラー情報に基き、他のプリンタに切り替える技術が示されている。
【特許文献１】特開２００２−０１９１９９公報
【特許文献２】特開平１１−１１０１４３号公報
【特許文献３】特開２００１−２７３１０８公報
【０００３】
【発明が解決しようとする課題】
印刷後にページ単位で画像検査機能があるプリンタやデジタルコピー機において、画像が悪いものを発見した場合、その印刷ページをリジェクトするのは簡単であるが（１頁の原稿を１０００部という場合には有効である）、例えば１部１００ページのジョブを複数部印刷する場合、そのジョブ自体をリジェクトすることは無駄である。また、ジャムリカバリーのように動作を停止し、機内にあるすべての紙を取り除いたのち再印刷及びリカバリーといったやり方も無駄であるし、生産性も劣化する。
本発明はこのような背景に鑑みてなされたものであり、印刷処理の生産性を高めることができる画像形成装置を提供することを目的とする。
【０００４】
【課題を解決するための手段】
上記目的を達成するために、請求項１記載の発明は、印刷後にページ単位で画像検査を行う画像検査手段を備えた画像形成装置において、印刷失敗したページをリジェクトせずリカバリに必要な情報のみ記憶媒体に格納するリカバリ情報格納手段と、印刷終了後エラーレポートを出力するエラーレポート印刷手段とを備え、印刷失敗したページをリジェクトせずリカバリに必要な情報のみ前記リカバリ情報格納手段に格納して継続して印刷を行い、印刷終了後前記エラーレポート印刷手段によりエラーレポートを出力することを特徴とする。
請求項２記載の発明は、印刷後にページ単位で画像検査を行う画像検査機能を有する画像形成装置において、印刷失敗したページをリジェクトせずリカバリに必要な情報のみ記憶媒体に格納するリカバリ情報格納手段と、印刷終了後その旨を表示する操作パネルとを備え、印刷失敗したページをリジェクトせずリカバリに必要な情報のみ前記リカバリ情報格納手段に格納して継続して印刷を行い、印刷終了後その旨を前記操作パネルに表示することを特徴とする。
【０００５】
請求項３記載の発明は、印刷後にページ単位で画像検査を行う画像検査機能を有する画像形成装置において、印刷失敗したページをリジェクトせずリカバリに必要な情報のみ記憶媒体に格納するリカバリ情報格納手段と、印刷終了後その旨をパソコンに通知する通信手段とを備え、印刷失敗したページをリジェクトせずリカバリに必要な情報のみ前記リカバリ情報格納手段に格納して継続して印刷を行い、印刷終了後その旨を前記パソコンに通知することを特徴とする。
請求項４記載の発明は、請求項１記載の画像形成装置において、印刷失敗ページは印刷終了後に操作パネルからの操作により印刷が可能である画像形成装置を主要な特徴とする。
請求項５記載の発明は、請求項１記載の画像形成装置において、シフト機能を有し、印刷失敗ページをシフト排紙する画像形成装置を主要な特徴とする。
請求項６記載の発明は、請求項１記載の画像形成装置において、パンチ、ステープル、製本を含む後処理指示がある印刷の場合、印刷失敗ページを含むものは部単位で失敗と判定し、後処理を禁止する画像形成装置を主要な特徴とする。
本発明においては、１部１００ページのジョブを複数部印刷する場合、フェイルページ（印刷失敗ページ）を検出した場合でも印刷動作を止めることなくフェイルページの必要な情報（何部目、何枚目）を記憶し継続して印刷動作を完了させる。そしてリカバリは後で一括で行うことにより生産性を上げるようにする。
【０００６】
【発明の実施の形態】
以下、図面により本発明の実施の形態を詳細に説明する。
図１は本発明の実施の形態に係る画像形成装置のシステム構成図である。本システムは、画像形成部１、コントローラボード２、エンジン制御ボード３、操作パネル４、画像検査部５から構成される。
印刷データはＰＣ６からコントローラボード２が受けコントローラボード２上のメモリに画像イメージを展開し印刷を行う。印刷イメージはビデオ  Ｉ／Ｆ上に転送され、画像形成部１の光学ユニットを介して感光体上に潜像が形成される。その後画像は印刷用紙に転写、定着された後、印刷用紙は排紙される。
本システムでは定着後に画像検査部５で画像検査を行う。定着後の紙先端検知をトリガーとし画像をセンスする。画像センスは面センスでもラインセンスでも構わない。センスした画像はマスターデータと比較され、マッチング性がある設定された閾値内であれば正常画像と判断され、あるいは閾値を越えた場合異常画像と判断され、コントローラボード２に通知される。
【０００７】
図２は本発明の画像形成装置における制御動作を示すフローチャートである。制御動作の詳細についてフローチャートに沿って説明する。
まず印刷を行う前に画像検査用のマスターデータを作成する。そのため、一部印刷を行う（Ｓ１）。印刷したデータは画像検査部５でセンスされ格納される（Ｓ２、Ｓ３）。印刷物がＯＫであればその登録データをマスターデータとして使用し、異常画像であればリトライを行う。この時の確認は目視で行う。
マスターをＯＫとすると（Ｓ４でＹ）、印刷起動される（Ｓ５）。画像検査は１枚１枚行われ（Ｓ６、Ｓ７）、画像異常と判定されると（Ｓ８でＹ）、コントローラボード２に通知される（Ｓ９）。これら一連の動作は印刷完了まで行われる。印刷完了後（Ｓ１０でＹ）、レポート印刷をＯＫとすると（Ｓ１１でＹ）、画像異常ページ一覧が印刷される（Ｓ１２）。レポート印刷をしない場合は（Ｓ１１でＮ）、操作パネル４にのみ表示される（Ｓ１３）。あるいは、パソコン上に表示してもよい。
レポート印刷には、何部目の何ページが異常であったか、異常の内容等の詳細がレポートされる。リカバリーは、オペレータの判断によって行われ、必要ページを印刷することでリカバリーされる。
後処理を簡単にするため、排紙部にシフト機能があるものでは、画像異常と判断されたページはシフトされる。あるいは、パンチやステープルなど後処理指定がある場合には、画像異常ページを含む部単位すべてを後処理工程に進めない処理がされる。
【０００８】
【発明の効果】
以上説明したように、請求項１、２、３、４の画像形成装置においては、例えば１部１００ページのジョブを複数部印刷する場合、フェイルページ（印刷失敗ページ）を検出した場合でも印刷動作を止めることなくフェイルページの必要な情報（何部目、何枚目）を記憶し継続して印刷動作を完了させる。そしてリカバリは後で一括で行うことにより逐次リカバリを行うよりも生産性を上げることができる。
請求項５の画像形成装置では、差し替えページが一目でわかるので差し替えが簡単に速くできる。
フェイルページを含むジョブをパンチ、ステープル、製本といった後処理まで実行してしまうとフェイルページの差し替えが面倒であるが、請求項６の画像形成装置では後処理前で処理を停止するので差し替えが簡単に速くできる。
【図面の簡単な説明】
【図１】本発明の実施の形態に係る画像形成装置のシステム構成図。
【図２】本発明の画像形成装置における制御動作を示すフローチャート。
【符号の説明】
１  画像形成部
２  コントローラボード（制御手段）
３  エンジン制御ボード
４  操作パネル
５  画像検査部（画像検査手段）
【図１】
2004338308.tif 000003
【図２】
2004338308.tif 000004